(57)【特許請求の範囲】
【請求項１】
ラス網と目地棒とキャップとデッキプレートからなるラス型枠を施工する方法であって、
複数のラス網を、それぞれ縦に並べて、横張りに配置する工程と、
各ラス網に、当該ラス網の平面に対して凸状の形状を有する目地棒を補強材として、縦方向に、所定間隔で固定する工程と、
前記目地棒の上部および前記ラス網の最上部に、当該目地棒の上部および当該ラス網の最上部を覆うコの字型の形状をしたキャップを配置する工程と、
前記キャップの上面部に接するように凹型のデッキプレートを配置する工程と、
前記キャップと前記ラス網とを互いに固定し、前記キャップと前記デッキプレートとを互いに固定し、前記キャップと前記目地棒とを互いに固定して一体化する工程と、
を含む、方法。
【請求項２】
前記デッキプレートの凹部の折り曲げ角度は９０度以下である、請求項１に記載の方法。
【請求項３】
請求項１の方法により組み立てられた、ラス型枠。
【発明の詳細な説明】
【技術分野】
【０００１】
本発明は、ラス型枠を用いたフラットデッキ一体施工方法に関するものである。特に、簡易的な施工方法でありつつ、デッキプレートにおける強度を確保するラス型枠を用いたデッキプレート一体施工方法に関する。
【背景技術】
【０００２】
従来から、ラス型枠を施工することが行われており、例えば、サギ材料、エンドクローズの受けを作り、デッキプレートを載せて、ビス留めして、配筋などの多くの工程からなる工法を施工していた。このような多くの工程からなる工法を施工する理由のひとつは、デッキプレートにおける強度を、ある程度確保する必要があったからである。工程が多くなれば、作業時間や人件費が増すことになるので、作業工程の簡略化を検討する余地があるが、その一方で、デッキプレートにおける強度も確保（すなわち、安全性）にも配慮する必要がある。
【０００３】
上述した点について、特許文献１では、型枠を強化する手法を試みているが、工程が簡略化されている分、デッキプレートにおける強度は十分であるとは言い難く、結果的に、強度を補うための更なる工程が必要となる。すなわち、強度確保と作業の簡略化との観点から見れば、更なる検討の余地がある。
【先行技術文献】
【特許文献】
【０００４】
【特許文献１】特開２００２−１３８６６４号（特許４７２６３２８号）
【発明の概要】
【発明が解決しようとする課題】
【０００５】
本発明の一態様における課題のひとつは、作業工程を簡略化しつつ、設置したデッキプレートにおける強度を確保するための施工方法を提供することである。
【課題を解決するための手段】
【０００６】
本発明の一態様においては、
ラス型枠を用いたフラットデッキ一体施工方法において、
複数のラス網を、横張りに配置する工程と、
各ラス網に、当該ラス網の平面に対して凸状の形状を有する目地棒を、縦方向に、所定間隔で固定する工程と、
前記目地棒の上部および前記ラス網の最上部に、当該目地棒の上部および当該ラス網の最上部を覆う形状をしたキャップを配置する工程と、
前記キャップの上面に接するようにデッキプレートを配置する工程と、
を含む施工方法を提供する。
【発明の効果】
【０００７】
本発明によれば、横張りしたラス型枠に目地棒及び上端キャップを併用する事で従来出来なかったラス型枠とフラットデッキとの一体施工を可能とした事でフラットデッキの安定した強度維持が実現できるという技術的効果を奏する。副次的には、梁およびデッキ部の一体打設を可能としコスト及び工期短縮を実現し経費削減を図るという効果も奏する。 更に副次的には、産業廃棄物の発生が低減できたり、足場の設置作業が不要になるという効果も奏する。
本発明の他の目的、特徴及び利点は添付図面に関する以下の本発明の実施例の記載から明らかになるであろう。
【図面の簡単な説明】
【０００８】
【図１】図１は、従来のラス型枠を施工する方法の一例を示す。
【図２】図２は、本発明の一実施例によるラス型枠を用いたフラットデッキ一体施工方法を示す。
【図３】図３は、本発明の一実施例による目地棒を示す。
【図４】図４は、本発明の一実施例による目地棒に設置するキャップを示す。
【図５】図５は、本発明の一実施例によるデッキプレートを示す。
【図６】図６は、本発明の一実施例によるラス型枠（部分的な拡大図）を示す。
【図７】図７は、本発明の一実施例によるラス型枠の使用方法を示す。
【発明を実施するための形態】
【０００９】
図１は、従来のラス型枠を施工する方法の一例を示す。
Ｓ１０１０では、支保工設置、配筋をする。なお、支保工とは、組み立てた型枠がコンクリートを投入しても膨らんだり変形したりしないように支えるものであり、土木工事や建築などにおいて、上または横からの荷重を支えるために用いる仮設機材である。
Ｓ１０２０では、足場を設定する。  Ｓ１０３０では、ラス網を配置・取付する。ここで、従来、ラス網は、長手方向が略縦方向（または、ラス網の長手方向が地面に対して略垂直になる方向）になるように、配置される。
Ｓ１０４０では、デッキプレート受け用桟木を取り付ける。
Ｓ１０５０では、横端太を設置する。
Ｓ１０６０では、フラットデッキを設置する。
Ｓ１０７０では、コンクリートを打設する。
Ｓ１０８０では、横端太を解体する。支保工を解体する。
Ｓ１０９０では、足場を解体する。
【００１０】
図２は、本発明の一実施例によるラス型枠を用いたフラットデッキ一体施工方法を示す。また、フラットパネルと一体化可能なラス型枠を示す図６も参照されたい。なお、説明の便宜上、ラス型枠の施工前後の工程についても説明する。
Ｓ２０１０では、梁の配筋をする。
Ｓ２０２０では、ラス網１０を配置する。ラス（ｌａｔｈ）網１０とは、建築や土木工事に使う金網である。ラス網１０の形状は、長方形である。複数枚のラス網１０が、横張りで配置される。すなわち、図６に示すように、複数のラス網１０が縦方向に対して略等間隔になるように、長手方向が略横方向（または、ラス網の長手方向が地面に対して略平行になる方向）になるように配置される。ここで、足場の設置は不要になる。
Ｓ２０３０では、ラス網１０に目地棒２０を配置する。この工程により、ラス網１０と目地棒２０とでラス型枠をなす。目地棒を取り付ける間隔は、横方向に３００ｍｍなどの略等間隔としてもよい。なお、Ｓ２０２０とＳ２０３０は、手順が前後してもよく、Ｓ２０２０とＳ２０３０とが同時に行われてもよい。
Ｓ２０４０では、ラス網１０および目地棒２０の長手方向の上端にキャップ３０を取り付ける。ここで、キャップ３０の形状については後述するが、ラス網１０および前記目地棒２０の上端の一部分を覆う形状をしている。なお、従来技術では、強度を確保するために、横端太を設置することになるが、本実施例のラス型枠は、後述するように、縦方向も横方向も共に機構上たわみが生じないように十分な強度が確保されるので、横端太を設置しなくてもよい。
Ｓ２０５０では、キャップ３０上にデッキプレート４０を設置して、ラス型枠をなす。ラス型枠の外側では、コンクリートパネルを使用する。デッキプレートの上のスラブの配筋をする。
Ｓ２０６０では、スラブ配筋作業が完了後、コンクリートを打設する。
Ｓ２０７０では、支保工を解体する。
なお、上述したＳ２０１０からＳ２０７０までの工程の中で、Ｓ２０２０からＳ２０５０までの工程が、本実施例のラス型枠を用いたフラットデッキ一体施工方法となる。それ以外の工程は、施工方法の準備工程や後工程などである。
なお、Ｓ２０２０−Ｓ２０５０のそれぞれの工程において、ラス網１０、目地棒２０、キャップ３０、デッキプレートを配置後に互いに固定して一体化する際には、釘やビス、針金（なまし鉄線）などの任意の留め具を使って、打ち付けや番線などの任意の方法で固定してもよい。
【００１１】
本実施例の目地棒について説明する。
一般的に、目地棒は、建築物に帯状のくぼみを形成する部材のことであり、コンクリート型枠工事などにおいて、コンクリートの耐久性を高めたり亀裂を防止したりするために、床、壁などに目地（繋ぎ目）を作る為に使用するものである。
本実施例では、ラス網の間に目地棒を設けることにより、設置したデッキプレートの設置強度を高めることも可能になる。
【００１２】
本実施例の目地棒について、図３を参照しながら説明する。図３の目地棒は、ラス網の面に対して凸状になるような形状をしている。凸の形状は、例えば、（ａ）に示すような弧を描く曲線型である。別の実施例では、（ｂ）に示すようなコの字型である。更に別の実施例では、（ｃ）に示すような三角形型である。
【００１３】
図４は、本発明の一実施例によるキャップの一例を示す。
本実施例のキャップは、図示するように、本実施例のラスおよびラス型目地棒の長手方向の上端に設置する。例えば、（ａ）に示すようなコの字型である。別の実施例では、（ｂ）に示すような一方の側面が長い形状である。更に別の実施例では、（ｃ）に示すように、（フラットデッキが接触する側の側面のみで）一方の側面が省略されている。
また、キャップの（内側の）幅は、ラス枠の幅に略等しい、すなわち、ラス網の厚さと目地棒の幅との和に略等しい若しくは当該和に略等しい。または留め具で固定できる範囲内であれば、キャップの内側の幅は、若干広くてもよい。
また、本実施例のキャップを使用することにより、デッキプレートとキャップ間で、互いに固定しやすくなるので、デッキプレ−とキャップとの実質的な一体化が可能になる。さらに、キャップと目地棒間およびキャップとラス網間でも、互いに固定しやすくなるので、実質的に、ラス網と目地棒とキャップとの実施的な一体化が可能になる。すなわち、ラス網と目地棒とデッキプレートとが、本実施例のキャップを介して、まとめて一体化することができる。そして、従来技術においては、フラットデッキは、ラス網および／目地棒に載せることはできたが、フラットデッキを固定することができなかったが、本発明のような一体化により、フラットデッキの安定した強度維持が実現できるという利点がある。
【００１４】
図５は、本発明の一実施例によるデッキプレートを示す。
（ａ）は、平面状のデッキプレートである。本実施例の平面状のデッキプレートの形状は、平面であり、デッキプレートの設置時には、ラス網および目地棒上のキャップの上部の面（上表面）と接することができるので、フラットデッキとキャップの上部（すなわち、ラス網側）との接触面積が（目地棒がなる表面積と比較すると）増えているので、結果的に、デッキプレートにおける強度（デッキプレートが荷重に耐えうる強度）を増すことができる。また、本実施例のデッキプレートは、いわゆるフラットデッキでもよく、いわゆるフラットデッキの場合は、エンドクローズ部が存在するので、フラットデッキの端部がキャップの面と接触することになる（（ｂ）を参照）。
（ｃ）は、（ａ）の変形例で、凹型のデッキプレートである。凹部のくぼみ部分が下方向になるように設置される。凹型の形状（エンドクローズ部分）を作るときの折り曲げ角度は、９０度でもよいが、９０度未満でもよい。また、凹部の両端は、キャップの上面（上表面）に接するように構成される。また、デッキプレートの凹部の深さ方向を形成する部分は、キャップの側面に接するように構成されてもよい。
【００１５】
図６は、本発明の一実施例によるラス型枠を示す。（ａ）は、斜視方向から見たラス型枠であり、（ｂ）は、断面的に見たラス型枠である。本実施例のラス型枠は、少なくともラス網１０と、目地棒２０と、キャップ３０と、デッキプレート４０とから構成される。更に、複数のラス型枠を施工する場合には、互いのラス型枠が一定の幅を維持させるためのセパレータ（図示せず）なども含む。
本実施例のラス型枠によれば、横方向のたわみだけでなく縦方向のたわみも抑えることができるができるので、荷重に強い安定したラス型枠をなすことができる。すなわち、横方向のたわみに関しては、目地棒（および目地棒に接する横張りされたラス網）により抑えられ、縦方向のたわみに関しては、横張りされたラス網とキャップにより抑えられる。
【００１６】
図７は、本発明の一実施例によるラス型枠の使用方法を示す。図５のラス型枠のひとつを、クレーンなどで吊り上げて、別の所へ移動させることができる。つまり、所定の場所でラス型枠を設置して、所定の作業を終えたあとは、通常、このラス型枠は使用しない（すなわち、コンクリートを打設し、固化した後は、ラス型枠を解体撤去してもよいし、解体撤去せずそのまま残置してもよい）。このラス型枠を再利用するために、この型枠の任意の場所（但し、フラットデッキなど相対的に荷重に弱い場所ではない任意の場所）に、クレーンなどで吊り上げ可能な吊り上げ具を予め設置しておき、所定の場所での作業が終了した後は、ラス型枠をクレーンで吊り上げ、別の場所に移動させる。その後は、移動されたラス型枠を使用しながら、作業をすることができる。その後は、更に、ラス型枠を移動させてもよいし、そのまま埋め込んでもよい。
【００１７】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００１８】
１０：ラス網、２０：目地棒、３０：キャップ、４０：デッキプレート
【要約】
【課題】ラス型枠を用いたフラットデッキ一体施工方法を提供する。
【解決手段】複数のラス網を、横張りに配置する工程と、各ラス網に、当該ラス網の平面に対して凸状の形状を有する目地棒を、縦方向に、所定間隔で固定する工程と、前記目地棒の上部および前記ラス網の最上部に、当該目地棒の上部および当該ラス網の最上部を覆う形状をしたキャップを配置する工程と、前記キャップの上面に接するようにデッキプレートを配置する工程と、を含むラス型枠の施工方法を提供する。
【選択図】図６【図１】
0006679797.tif 000002
【図２】
0006679797.tif 000003
【図３】
0006679797.tif 000004
【図４】
0006679797.tif 000005
【図５】
0006679797.tif 000006
【図６】
0006679797.tif 000007
【図７】
0006679797.tif 000008